【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
ビニル系単量体を重合する方法であって、
式Ｉによって表される化合物を、少なくとも第１のビニル系単量体と合わせて、重合混合物を形成することと、
前記重合混合物を約１３０℃以上の温度まで、また前記ビニル系単量体を重合して、第１の重合体を形成するために十分な時間、加熱することと、を含み、
式Ｉは、以下であり、
【化１】
2017507237.tif 000001
Ｒ１、Ｒ２、Ｒ３、及びＲ４は独立して、Ｈ、Ｆ、Ｃｌ、Ｂｒ、Ｉ、ＣＮ、ＣＯＯＨ、アルキル、シクロアルキル、アルコキシ、アルキルチオ、Ｃ（Ｏ）Ｏ（アルキル）、Ｃ（Ｏ）（アルキル）、Ｃ（Ｏ）ＮＨ２、Ｃ（Ｏ）ＮＨ（アルキル）、Ｃ（Ｏ）Ｎ（アルキル）２、またはアリールであるか、あるいはＲ１及びＲ２、Ｒ２及びＲ３、またはＲ３及びＲ４が一緒になって５もしくは６員の炭素環式または複素環式環を形成し、
Ｒ５、Ｒ６、Ｒ７、及びＲ８は独立して、アリールであり、
Ｒ９は不対電子、ＣＲ１０Ｒ１１ＣＮ、ＣＲ１０Ｒ１１（アリール）、ＣＲ１０Ｒ１１Ｃ（Ｏ）ＯＨ、ＣＲ１０Ｒ１１Ｃ（Ｏ）Ｏ（アルキル）、ＣＲ１０Ｒ１１Ｃ（Ｏ）ＮＨ（アルキル）、ＣＲ１０Ｒ１１Ｃ（Ｏ）Ｎ（アルキル）２、またはＣＲ１０Ｒ１１Ｃ（Ｏ）（アリール）であり、
Ｒ１０及びＲ１１は独立して、Ｈ、アルキルであるか、またはそれらが結合する炭素と一緒になって５もしくは６員炭素環式環を形成する、前記方法。
【請求項２】
前記第１の重合体が約１．１〜約１．６の多分散度指数を有する、請求項１に記載の前記方法。
【請求項３】
前記第１のビニル系単量体が、スチレン系単量体、アクリレート単量体、メタクリレート単量体、またはそれらの任意の２つ以上の混合物を含む、請求項１に記載の前記方法。
【請求項４】
前記第１の重合体が第１のリビング重合体であり、かつ、少なくとも第２のビニル系単量体を前記第１のリビング重合体に添加することと、加熱して第２のリビング重合体を形成することとを更に含む、請求項１に記載の前記方法。
【請求項５】
少なくとも第３のビニル系単量体を前記第２のリビング重合体に添加することと、加熱して第３のリビング重合体を形成することとを更に含む、請求項４に記載の前記方法。
【請求項６】
Ｒ１、Ｒ２、Ｒ３、及びＲ４が独立して、Ｈ、Ｆ、Ｃｌ、Ｂｒ、Ｉ、ＣＮ、ＣＯＯＨ、Ｃ１−Ｃ６アルキル、Ｃ５−Ｃ６シクロアルキル、Ｃ１−Ｃ６アルコキシ、Ｃ１−Ｃ６アルキルチオ、Ｃ（Ｏ）Ｏ（Ｃ１−Ｃ６アルキル）、Ｃ（Ｏ）（Ｃ１−Ｃ６アルキル）、Ｃ（Ｏ）ＮＨ２、Ｃ（Ｏ）ＮＨ（Ｃ１−Ｃ６アルキル）、Ｃ（Ｏ）Ｎ（Ｃ１−Ｃ６アルキル）２、またはフェニルであるか、あるいはＲ１及びＲ２、Ｒ２及びＲ３、またはＲ３及びＲ４が一緒になって５もしくは６員の炭素環式または複素環式環を形成する、請求項１に記載の前記方法。
【請求項７】
Ｒ９が、不対電子、ＣＨ２Ｐｈ、ＣＲ１０Ｒ１１ＣＮ、ＣＨ（ＣＨ３）（アリール）、Ｃ（ＣＨ３）２（アリール）、ＣＲ１０Ｒ１１Ｃ（Ｏ）ＯＨ、ＣＲ１０Ｒ１１Ｃ（Ｏ）Ｏ（Ｃ１−Ｃ６アルキル）、ＣＲ１０Ｒ１１Ｃ（Ｏ）（Ｃ１−Ｃ６アルキル）、ＣＲ１０Ｒ１１Ｃ（Ｏ）ＮＨ（Ｃ１−Ｃ６アルキル）、ＣＲ１０Ｒ１１Ｃ（Ｏ）Ｎ（Ｃ１−Ｃ６アルキル）２、ＣＲ１０Ｒ１１ＣＮ、またはＣＲ１０Ｒ１１Ｃ（Ｏ）Ｐｈであり、Ｒ１０及びＲ１１が独立して、Ｈ、Ｃ１−Ｃ４アルキルであるか、またはそれらが結合する炭素と一緒になって５もしくは６員炭素環式環を形成し、アリールがフェニル、またはＣ１−Ｃ１８アルキル、Ｏ−Ｃ１−Ｃ１８アルキル、ＣＮ、−Ｃ（Ｏ）ＯＨ、−Ｃ（Ｏ）Ｏ（Ｃ１−Ｃ１８アルキル）、Ｆ、Ｃｌ、Ｂｒ、もしくはＩで置換されたフェニルである、請求項１に記載の前記方法。
【請求項８】
Ｒ９が以下である、請求項１に記載の前記方法。
【化２】
2017507237.tif 000002
、
【化３】
2017507237.tif 000003
、
【化４】
2017507237.tif 000004
、または
【化５】
2017507237.tif 000005
【請求項９】
前記式Ｉの化合物が、１，３−ジヒドロ−１，１，３，３−テトラフェニル−２−（１−フェニルエトキシ）−１Ｈ−イソインドール、エチル２−（１，１，３，３−テトラフェニルイソインドリン−２−イル）オキシ）プロパノエート、２−［１−（４−ドデシルフェニル）エトキシ］−１，１，３，３−テトラフェニル−イソインドリン、または２−［１−（４−ｔｅｒｔ−ブチルフェニル）エトキシ］−１，１，３，３−テトラフェニル−イソインドリンである、請求項１に記載の前記方法。
【請求項１０】
前記式Ｉの化合物が、
Ｒ１、Ｒ２、Ｒ３、及びＲ４がＨであり、かつＲ９が不対電子またはＣＨＣＨ３Ｐｈである場合、Ｒ５、Ｒ６、Ｒ７、及びＲ８のうちの少なくとも１つが未置換のフェニル以外であるか、あるいはＲ９が不対電子もしくはＣＨＣＨ３Ｐｈであり、かつＲ５、Ｒ６、Ｒ７、及びＲ８が未置換のフェニルである場合、Ｒ１、Ｒ２、Ｒ３、及びＲ４のうちの少なくとも１つがＨ以外であり、
Ｒ９が不対電子またはＣＨＣＨ３Ｐｈであり、Ｒ５、Ｒ６、Ｒ７、及びＲ８のうちの１つがメチルであり、かつＲ５、Ｒ６、Ｒ７、及びＲ８のうちの３つがフェニルである場合、Ｒ１、Ｒ２、Ｒ３、及びＲ４のうちの少なくとも１つがＨ以外であるという条件を前提とする、請求項１に記載の前記方法。
【請求項１１】
請求項１に記載の方法によって形成された第１の重合体、請求項４に記載の方法によって形成されたブロック重合体、請求項５に記載の方法によって形成された三元重合体、またはそれらの任意の２つ以上の混合物を含む組成物。
【請求項１２】
式Ｉによって表される化合物であって、
【化６】
2017507237.tif 000006
式中、
Ｒ１、Ｒ２、Ｒ３、及びＲ４が独立して、Ｈ、Ｆ、Ｃｌ、Ｂｒ、Ｉ、ＣＮ、Ｃ（Ｏ）ＯＨ、アルキル、シクロアルキル、アルコキシ、アルキルチオ、Ｃ（Ｏ）Ｏ（アルキル）、Ｃ（Ｏ）（アルキル）、Ｃ（Ｏ）ＮＨ２、Ｃ（Ｏ）ＮＨ（アルキル）、Ｃ（Ｏ）Ｎ（アルキル）２、またはアリールであるか、あるいはＲ１及びＲ２、Ｒ２及びＲ３、またはＲ３及びＲ４が一緒になって５もしくは６員の炭素環式または複素環式環を形成し、
Ｒ５、Ｒ６、Ｒ７、及びＲ８がアリールであり、
Ｒ９は不対電子、ＣＲ１０Ｒ１１ＣＮ、ＣＲ１０Ｒ１１（アリール）、ＣＲ１０Ｒ１１Ｃ（Ｏ）ＯＨ、ＣＲ１０Ｒ１１Ｃ（Ｏ）Ｏ（アルキル）、ＣＲ１０Ｒ１１Ｃ（Ｏ）ＮＨ（アルキル）、ＣＲ１０Ｒ１１Ｃ（Ｏ）Ｎ（アルキル）２、またはＣＲ１０Ｒ１１Ｃ（Ｏ）（アリール）であり、
Ｒ１０及びＲ１１が独立して、Ｈ、アルキルであるか、またはそれらが結合する炭素と一緒になって５もしくは６員炭素環式環を形成し、
但し、Ｒ１、Ｒ２、Ｒ３、及びＲ４がＨであり、かつＲ９が不対電子またはＣＨＣＨ３Ｐｈである場合、Ｒ５、Ｒ６、Ｒ７、及びＲ８のうちの少なくとも１つが未置換のフェニル以外であるか、あるいはＲ９が不対電子もしくはＣＨＣＨ３Ｐｈであり、かつＲ５、Ｒ６、Ｒ７、及びＲ８が未置換のフェニルである場合、Ｒ１、Ｒ２、Ｒ３、及びＲ４のうちの少なくとも１つがＨ以外であり、Ｒ９が不対電子またはＣＨＣＨ３Ｐｈであり、Ｒ５、Ｒ６、Ｒ７、及びＲ８のうちの１つがメチルであり、Ｒ５、Ｒ６、Ｒ７、及びＲ８のうちの３つがフェニルである場合、Ｒ１、Ｒ２、Ｒ３、及びＲ４のうちの少なくとも１つがＨ以外であることを条件とする、前記化合物。
【請求項１３】
Ｒ９が、以下である、請求項１２に記載の前記化合物。
【化７】
2017507237.tif 000007
、
【化８】
2017507237.tif 000008
、
【化９】
2017507237.tif 000009
、または
【化１０】
2017507237.tif 000010
【請求項１４】
１，３−ジヒドロ−１，１，３，３−テトラフェニル−２−（１−フェニルエトキシ）−１Ｈ−イソインドール、エチル２−（（１，１，３，３−テトラフェニルイソインドリン−２−イル）オキシ）プロパノエート、２−［１−（４−ドデシルフェニル）エトキシ］−１，１，３，３−テトラフェニル−イソインドリン、または２−［１−（４−ｔｅｒｔ−ブチルフェニル）エトキシ］−１，１，３，３−テトラフェニル−イソインドリンである、請求項１２に記載の前記化合物。
【請求項１５】
ビニル系単量体を重合する方法であって、
請求項１２に記載の化合物を、少なくとも第１のビニル系単量体と合わせて、重合混合物を形成することと、
前記重合混合物を約１３０℃以上の温度まで、また前記ビニル系単量体を重合して、第１の重合体を形成するために十分な時間加熱することと、を含む、前記方法。